(57)【要約】  コネクタは、オス側内腔部を有するオスコネクタ部と、メス側内腔部を有し、メス側内腔部にオスコネクタ部と同様の他のオスコネクタ部が接続可能なメスコネクタ部と、弾性材料で構成され、他のオスコネクタ部とメスコネクタ部とが接続された際、これらのコネクタ部同士の液密性を保持するシール部材と、オスコネクタ部側およびメスコネクタ部側にそれぞれ配置され、他のオスコネクタ部とメスコネクタ部とが接続された際、これらのコネクタ部同士の接続状態を維持するロック機構とを備えている。この各ロック機構は、コネクタ部同士の接続方向と平行となるように突出して形成されたオスロック部と、オスロック部に隣接し、接続方向と平行となるように形成され、オスロック部と同様の他のオスロック部が連結可能なメスロック部とを有している。
2008056631.tif 000002
【特許請求の範囲】
【請求項１】
オス側内腔部を有するオスコネクタ部と、
メス側内腔部を有し、該メス側内腔部に前記オスコネクタ部と同様の他のオスコネクタ部が接続可能なメスコネクタ部と、
弾性材料で構成され、前記他のオスコネクタ部と前記メスコネクタ部とが接続された際、これらのコネクタ部同士の液密性を保持するシール部材と、
前記オスコネクタ部側および前記メスコネクタ部側にそれぞれ配置され、前記他のオスコネクタ部と前記メスコネクタ部とが接続された際、これらのコネクタ部同士の接続状態を維持するロック機構とを備え、
前記各ロック機構は、前記コネクタ部同士の接続方向と平行となるように突出して形成されたオスロック部と、該オスロック部に隣接し、前記接続方向と平行となるように形成され、前記オスロック部と同様の他のオスロック部が連結可能なメスロック部とを有することを特徴とするコネクタ。
【請求項２】
前記接続状態のとき、前記他のオスコネクタ部のオス側内腔部と前記メスコネクタ部のメス側内腔部とが連通して、液体が流通可能となる請求項１に記載のコネクタ。
【請求項３】
前記オスコネクタ部および前記メスコネクタ部は、それぞれ、管状をなすものであり、当該コネクタ部の中心軸に関して、前記オスロック部と前記メスロック部とが対称的に配置されている請求項１または２に記載のコネクタ。
【請求項４】
前記オスロック部は、互いに接近・離間する長尺な一対の爪部と、該両爪部の一端側に設けられ、他端側が互いに離間するように付勢する付勢部とを有し、
前記メスロック部は、前記他のオスロック部の前記オスロック部と同様の前記各爪部とそれぞれ係合可能な係合部と、前記他のオスロック部の前記オスロック部と同様の前記両爪部を互いに接近させるように操作可能な操作部とを有する請求項１または２に記載のコネクタ。
【請求項５】
前記オスコネクタ部および前記メスコネクタ部は、それぞれ、管状をなすものであり、当該コネクタ部の外周方向に沿って、前記オスロック部および前記メスロック部が、それぞれ、複数配置されている請求項１または２に記載のコネクタ。
【請求項６】
前記各オスロック部と前記各メスロック部とは、交互に配置されている請求項５に記載のコネクタ。
【請求項７】
前記オスコネクタ部および前記メスコネクタ部は、それぞれ、管状をなすものであり、
前記各ロック機構は、当該コネクタ部の外周部に設置され、全体形状がほぼ筒状をなしており、
前記筒状の壁部には、その中心軸方向に沿って長尺状に欠損した欠損部が複数形成されており、該各欠損部がそれぞれ前記メスロック部を構成し、隣接する前記欠損部同士の間に位置する壁部の一部が前記オスロック部を構成している請求項６に記載のコネクタ。
【請求項８】
前記各ロック機構は、前記コネクタ部の中心軸回りの複数の回転角度で使用可能である請求項７に記載のコネクタ。
【請求項９】
前記シール部材は、前記メスコネクタ部のメス側内腔部に固定されており、前記ロック状態のときに前記他のオスコネクタ部の端部に密着する面と、該面に形成され、前記ロック状態のときに開くスリットとを有する請求項１または２に記載のコネクタ。
【請求項１０】
前記メスコネクタ部を複数備え、
少なくとも１つの前記メスコネクタ部と前記オスコネクタ部とは、それらの中心線が互いにほぼ直交するように配置されている請求項１または２に記載のコネクタ。
【請求項１１】
前記メスコネクタ部を複数備え、
少なくとも１つの前記メスコネクタ部と前記オスコネクタ部とは、それらの中心線が互いに平行で、かつ、前記メスコネクタ部の開口部と前記オスコネクタ部の開口部とが互いに反対の方向を向くように配置されている請求項１または２に記載のコネクタ。
【請求項１２】
請求項１ないし１１のいずれかに記載のコネクタと、
チューブと、該チューブの一端部に設置され、前記コネクタに接続可能なチューブ側コネクタとを有するチューブ組立体とを備えることを特徴とする輸液チューブセット。
【発明の詳細な説明】
【技術分野】
【０００１】
本発明は、コネクタおよびそれを有する輸液チューブセットに関する。
【背景技術】
【０００２】
輸液、輸血、栄養投与等に用いる液体の流路接続を必要とする医療用具においては、薬液、血液、流動食等の液体を持続的、一時的に流す際、液体の流路（回路）の接続、脱離を必要に応じて行う必要がある。このとき、回路の途中に液体の流路同士を接続する接続具を取り付けることが知られている。このような接続具の代表的なものとしては、例えば、特許文献１に記載されたものがある。【０００３】
この接続具（コネクタ）は、オスコネクタ部と、オスコネクタ部に隣接して（対応して）設けられたオスロック部と、メスコネクタ部と、メスコネクタ部に隣接して設けられたメスロック部とを有するものである。このような構成の接続具同士を接続した際、一方のオスロック部と他方のメスロック部とが係合し合って、ロック状態となるとともに、一方のオスコネクタ部と他方のメスコネクタ部とが連通して、液体が通過可能となる。このように接続されたコネクタ同士においては、ロック状態を解除する際、メスロック部に設けられた操作片（操作部）を押圧操作することにより、ロック部同士の係合が解除され、よって、ロック状態の解除を行なうことができる。【０００４】
このように、従来の（特許文献１に記載の）コネクタでは、前述したように１つのコネクタ部に１つのロック部が配置されていた。このため、例えば接続状態のコネクタを把持した際、メスロック部の操作片を誤って押圧してしまい、その結果、不本意にロック状態を解除してしまうおそれがあった。【０００５】
【特許文献１】国際公開２００６／０６８２１１号パンフレット
【発明の開示】
【０００６】
本発明の目的は、接続状態が不本意に解除されるのを確実に防止することができるコネクタおよび輸液チューブセットを提供することにある。
【０００７】
上記目的を達成するために、本発明は、
オス側内腔部を有するオスコネクタ部と、
メス側内腔部を有し、該メス側内腔部に前記オスコネクタ部と同様の他のオスコネクタ部が接続可能なメスコネクタ部と、
弾性材料で構成され、前記他のオスコネクタ部と前記メスコネクタ部とが接続された際、これらのコネクタ部同士の液密性を保持するシール部材と、
前記オスコネクタ部側および前記メスコネクタ部側にそれぞれ配置され、前記他のオスコネクタ部と前記メスコネクタ部とが接続された際、これらのコネクタ部同士の接続状態を維持するロック機構とを備え、
前記各ロック機構は、前記コネクタ部同士の接続方向と平行となるように突出して形成されたオスロック部と、該オスロック部に隣接し、前記接続方向と平行となるように形成され、前記オスロック部と同様の他のオスロック部が連結可能なメスロック部とを有することを特徴とするコネクタである。
【０００８】
これにより、接続状態が不本意に解除されるのを確実に防止することができる。
【０００９】
また、本発明のコネクタでは、前記接続状態のとき、前記他のオスコネクタ部のオス側内腔部と前記メスコネクタ部のメス側内腔部とが連通して、液体が流通可能となるのが好ましい。
【００１０】
これにより、例えば、輸液、輸血、栄養投与等の際、液体（例えば、輸液、血液、栄養剤）が円滑に通過することができる。
【００１１】
また、本発明のコネクタでは、前記オスコネクタ部および前記メスコネクタ部は、それぞれ、管状をなすものであり、当該コネクタ部の中心軸に関して、前記オスロック部と前記メスロック部とが対称的に配置されているのが好ましい。
【００１２】
これにより、メスコネクタ部と他のオスコネクタ部とが接続する際、これらが容易にまっすぐに接続する。
【００１３】
また、本発明のコネクタでは、前記オスロック部は、互いに接近・離間する長尺な一対の爪部と、該両爪部の一端側に設けられ、他端側が互いに離間するように付勢する付勢部とを有し、
前記メスロック部は、前記他のオスロック部の前記オスロック部と同様の前記各爪部とそれぞれ係合可能な係合部と、前記他のオスロック部の前記オスロック部と同様の前記両爪部を互いに接近させるように操作可能な操作部とを有するのが好ましい。
【００１４】
これにより、メスロック部と他のオスロック部とが確実にロックした状態となり、また、操作部を操作することによりこの状態を確実に解除することができる。
【００１５】
また、本発明のコネクタでは、前記オスコネクタ部および前記メスコネクタ部は、それぞれ、管状をなすものであり、当該コネクタ部の外周方向に沿って、前記オスロック部および前記メスロック部が、それぞれ、複数配置されているのが好ましい。
【００１６】
これにより、メスロック部と他のオスロック部とが接続した際、その状態（接続状態）がより強固に維持され、よって、該接続状態が不本意に解除されるのをより確実に防止することができる。
【００１７】
また、本発明のコネクタでは、前記各オスロック部と前記各メスロック部とは、交互に配置されているのが好ましい。
【００１８】
これにより、メスロック部と他のオスロック部とが接続した際、その状態（接続状態）がより強固に維持され、よって、該接続状態が不本意に解除されるのをより確実に防止することができる。
【００１９】
また、本発明のコネクタでは、前記オスコネクタ部および前記メスコネクタ部は、それぞれ、管状をなすものであり、
前記各ロック機構は、当該コネクタ部の外周部に設置され、全体形状がほぼ筒状をなしており、
前記筒状の壁部には、その中心軸方向に沿って長尺状に欠損した欠損部が複数形成されており、該各欠損部がそれぞれ前記メスロック部を構成し、隣接する前記欠損部同士の間に位置する壁部の一部が前記オスロック部を構成しているのが好ましい。
【００２０】
これにより、メスロック部と他のオスロック部とが接続した際、その状態（接続状態）がより強固に維持され、よって、該接続状態が不本意に解除されるのをより確実に防止することができる。
【００２１】
また、本発明のコネクタでは、前記各ロック機構は、前記コネクタ部の中心軸回りの複数の回転角度で使用可能であるのが好ましい。
【００２２】
これにより、例えばコネクタにチューブが接続されている場合、そのチューブに捩れが生じたとしても、コネクタを捩れの方向と反対方向に回転させて用いることにより、当該チューブの捩れを解消することができる。
【００２３】
また、本発明のコネクタでは、前記シール部材は、前記メスコネクタ部のメス側内腔部に固定されており、前記ロック状態のときに前記他のオスコネクタ部の端部に密着する面と、該面に形成され、前記ロック状態のときに開くスリットとを有するのが好ましい。
【００２４】
これにより、接続状態で、メスコネクタ部と他のオスコネクタ部とが確実に液密に接続し、これらが互いに確実に連通する。
【００２５】
また、本発明のコネクタでは、前記メスコネクタ部を複数備え、
少なくとも１つの前記メスコネクタ部と前記オスコネクタ部とは、それらの中心線が互いにほぼ直交するように配置されているのが好ましい。
【００２６】
これにより、コネクタ内を通過する液体の流れの方向を変えることができる。
【００２７】
また、本発明のコネクタでは、前記メスコネクタ部を複数備え、
少なくとも１つの前記メスコネクタ部と前記オスコネクタ部とは、それらの中心線が互いに平行で、かつ、前記メスコネクタ部の開口部と前記オスコネクタ部の開口部とが互いに反対の方向を向くように配置されているのが好ましい。
【００２８】
これにより、例えば、２つのコネクタ同士を接続する際、一方の（他の）オスコネクタ部と他方のメスコネクタ部とを接続することで、ほぼ直線的にコネクタ同士を接続することができる。
【００２９】
上記目的を達成するために、本発明は、
本発明のコネクタと、
チューブと、該チューブの一端部に設置され、前記コネクタに接続可能なチューブ側コネクタとを有するチューブ組立体とを備えることを特徴とする輸液チューブセットである。
【００３０】
これにより、接続状態が不本意に解除されるのを確実に防止することができる。
【図面の簡単な説明】
【００３１】
【図１】図１は、本発明のコネクタの第１実施形態を示す斜視図である。
【図２】図２は、本発明のコネクタの第１実施形態を示す斜視図である。
【図３】図３は、図１（図２も同様）に示すコネクタの接続状態を順に示す図（部分縦断面図）である。
【図４】図４は、図１に示すコネクタの接続解除状態を順に示す図（部分縦断面図）である。
【図５】図５は、図１に示すコネクタの接続状態を順に示す図（縦断面図）である。
【図６】図６は、図１に示すコネクタが備える弁体（シール部材）を示す斜視図である。
【図７】図７は、図１に示すコネクタの接続状態を順に示す図である。
【図８】図８は、図１に示すコネクタの接続状態を順に示す図である。
【図９】図９は、図１に示すコネクタを備えた本発明の輸液チューブセットの平面図である。
【図１０】図１０は、図９に示す輸液チューブセットの各輸液チューブを接続した状態を示す平面図である。
【図１１】図１１は、本発明のコネクタの第２実施形態を示す斜視図である。
【発明を実施するための最良の形態】
【００３２】
以下、本発明のコネクタおよび輸液チューブセットを添付図面に示す好適な実施形態に基づいて詳細に説明する。【００３３】
＜第１実施形態＞
図１および図２は、それぞれ、本発明のコネクタの第１実施形態を示す斜視図、図３は、図１（図２も同様）に示すコネクタの接続状態を順に示す図（部分縦断面図）、図４は、図１に示すコネクタの接続解除状態を順に示す図（部分縦断面図）、図５は、図１に示すコネクタの接続状態を順に示す図（縦断面図）、図６は、図１に示すコネクタが備える弁体（シール部材）を示す斜視図、図７および図８は、それぞれ、図１に示すコネクタの接続状態を順に示す図、図９は、図１に示すコネクタを備えた本発明の輸液チューブセットの平面図、図１０は、図９に示す輸液チューブセットの各輸液チューブを接続した状態を示す平面図である。なお、説明の都合上、コネクタの長手方向を「ｘ軸方向」、ｘ軸方向に垂直な方向をそれぞれ「ｙ軸方向」、「ｚ軸方向」という。また、図６〜図１０においては、図中の下側を「先端」、上側を「基端」として説明する。【００３４】
図９および図１０に示す輸液チューブセット（輸液セット）１は、生体（患者）に輸液を注入（投与）する装置（セット）である。【００３５】
輸液には、例えば、薬液、補正用電解質液、生理食塩水等、生体に投与し得るあらゆる液が含まれる。【００３６】
また、薬液中の薬剤の種類は、特に限定されず、例えば、鎮静薬、静脈麻酔薬、麻酔系鎮痛薬、局所麻酔薬、非脱分極性筋弛緩薬、昇圧薬、降圧薬、冠血管拡張薬、利尿薬、抗不整脈薬、気管支拡張薬、止血剤、ビタミン剤、抗生剤、脂肪乳剤等いかなるものでもよい。【００３７】
図９に示すように、輸液チューブセット１は、第１の輸液チューブ（第１のチューブ組立体）４ｂと、第２の輸液チューブ（第２のチューブ組立体）４ａと、第２の輸液チューブ４ａの一端部が接続可能なコネクタ５Ａと、第１の輸液チューブ４ｂの一端部が接続可能なコネクタ５Ａ’と、第１の輸液チューブ４ｂおよび第２の輸液チューブ４ａのそれぞれの他端部に設けられる瓶針４５１（接続部）と、患者に対し輸液を投与する輸液投与部２とを備えている。以下、これらの各構成要素について順次説明する。【００３８】
図１に示すように、第１の輸液チューブ４ｂ側（図９中左側）のコネクタ５Ａは、オスコネクタ部６と、メスコネクタ部７Ａおよび７Ｂと、ロック機構１０Ａ、１０Ｂおよび１０Ｃと、弁体（シール部材）５１とを備えている。また、第２の輸液チューブ４ａ側（図９中右側）のコネクタ５Ａ’もコネクタ５Ａと同様に、オスコネクタ部６と、メスコネクタ部７Ａおよび７Ｂと、ロック機構１０Ａ、１０Ｂおよび１０Ｃと、弁体（シール部材）５１とを備えている。このように、コネクタ５Ａとコネクタ５Ａ’とは、互いにほぼ同様の構成であるため、以下、第２の輸液チューブ４ａ側のコネクタ５Ａについて代表的に説明する。【００３９】
図１に示すように、オスコネクタ部６は、オスコネクタ部本体６１と、管状部６２とを有している。【００４０】
管状部６２は、オスコネクタ部本体６１からｘ軸正方向に突出して形成されている。この管状部６２は、液体が通過する液体流路（オス側内腔部）６２１と、ルアーテーパ部６２２とを有している。
液体流路６２１は、オスコネクタ部本体６１内に連通している。【００４１】
ルアーテーパ部６２２は、オスコネクタ部６の開口部６２３側の外周部に、その外径が開口部６２３の方向に向かって漸減するように形成されている。【００４２】
メスコネクタ部７Ａおよび７Ｂは、それぞれ、コネクタ５Ａ’のオスコネクタ部６が接続可能な部位である。メスコネクタ部７Ａとメスコネクタ部７Ｂとの形状（構成）は、ほぼ同一であるため、以下、メスコネクタ部７Ｂについて代表的に説明する。【００４３】
図７（図８も同様）に示すように、メスコネクタ部７Ｂは、メスコネクタ部本体７２と、蓋部（キャップ）７３とを備えている。【００４４】
図７に示すメスコネクタ部本体７２は、その先端部に、形状が有底筒状の弁体設置部７２１が形成されている。この弁体設置部７２１は、内部の基端側に第２の内腔部（メス側内腔部）７２３と、先端側に第２の内腔部７２３と連通する第３の内腔部（メス側内腔部）７２４とが形成されている。第２の内腔部７２３は、その内径が後述する蓋部７３に形成された第１の内腔部（メス側内腔部）７３１より拡径しており、第３の内腔部７２４（内周面７２８）は、その内径が第２の内腔部７２３より縮径している。この第３の内腔部７２４の内径は、後述する弁体５１の胴部５５（外周面５５１）の外径より若干大きいのが好ましい。【００４５】
また、メスコネクタ部本体７２の底面７２２の中心部には、管状体で構成された内部突起７２５が設けられている。オスコネクタ部６を第１の内腔部７３１（接続口７３２）に接続して、弁体５１が押圧され始めたとき、この内部突起７２５により、弁体５１の内部が支えられて、弁体５１に座屈が生じる（弁体５１がくの字状に折れる）のを防止することができる（図８参照）。また、液体がコネクタ５Ａ内を通過するに際し、液体の滞留が生じるのを防ぐことができる。【００４６】
また、この内部突起７２５は、その内腔がオスコネクタ部本体６１の内部に形成され、液体が通過可能な流路６１１に連通している。これにより、第２の内腔部７２３と第３の内腔部７２４とは、内部突起７２５を介して流路６１１に連通している。【００４７】
また、弁体設置部７２１の外周面７２６の先端側には、基端側より拡径した段差部７２７が設けられている。【００４８】
図７に示す蓋部７３は、内部に弁体５１を収納する空間（メス側内腔部）を有し、メスコネクタ部本体７２の基端側（弁体設置部７２１）に連結されるものである。【００４９】
蓋部７３の内部には、後述する弁体５１の頭部５０が挿入可能な第１の内腔部７３１と、第１の内腔部７３１に連通し、第１の内腔部７３１より拡径した嵌合部７３３とが形成されている。【００５０】
第１の内腔部７３１は、その形状が弁体５１の頭部５０の外形に対応するよう形成されている。また、第１の内腔部７３１の基端側には、オスコネクタ部６を接続するための接続口（接続部）７３２が形成されており、その径は、第１の内腔部７３１の先端側の径より縮径している。【００５１】
第１の内腔部７３１の内周面７３４には、軸方向に沿い、第１の内腔部７３１の径方向に突出した複数のリブ７３５が設けられている。コネクタ５Ａ’のオスコネクタ部６をコネクタ５Ａ（接続口７３２）に接続したとき、このリブ７３５により、弁体５１が支えられて、弁体５１に座屈が生じる（弁体５１が倒れる）のを防止することができる。また、リブ７３５の個数は、特に限定されず、例えば、２〜１０個であるのが好ましく、４〜８つであるのがより好ましい。【００５２】
嵌合部７３３の先端側には、弁体設置部７２１の段差部７２７と嵌合する段差部７３６が形成されており、その径は、嵌合部７３３の基端側の径より拡径している。また、段差部７３６の内径は、弁体設置部７２１の段差部７２７の外径とほぼ同等またはそれより若干小さいのが好ましい。これにより、蓋部７３（段差部７３６）とメスコネクタ部本体７２（段差部７２７）とが強固に嵌合（連結）する（液密に接する）ことができ、よって、コネクタ５Ａの内部の液体が漏れるのを防止することができる。また、蓋部７３とメスコネクタ部本体７２とが連結した際、第１の内腔部７３１と第２の内腔部７２３とが連通し、第１の内腔部７３１、第２の内腔部７２３および第３の内腔部７２４で形成された空間に弁体５１を設置（収納）することができる。【００５３】
なお、メスコネクタ部本体７２と蓋部７３との固定方法としては、嵌合に限定されず、例えば、かしめ、接着剤による接着、熱融着、超音波融着等の融着等であってもよい。【００５４】
図１に示すように、メスコネクタ部７Ａは、オスコネクタ部本体６１（オスコネクタ部６）に対し、ｙ軸正方向に設けられている。すなわち、メスコネクタ部７Ａは、その中心線がオスコネクタ部６の中心線とほぼ直交するように設けられている。【００５５】
メスコネクタ部７Ｂは、オスコネクタ部本体６１（オスコネクタ部６）に対し、ｘ軸負方向に設けられている。すなわち、メスコネクタ部７Ｂは、その中心線がオスコネクタ部６の中心線と平行で、かつ、メスコネクタ部７Ｂの開口部７１とオスコネクタ部６の開口部６２３とが互いに反対の方向を向くように配置されている。これにより、例えば、２つのコネクタ５Ａ、５Ａ’同士を接続する際、一方のオスコネクタ部６と他方のメスコネクタ部７Ｂとを接続することで、ほぼ直線的にコネクタ５Ａ、５Ａ’同士を接続することができる（図１、図２参照）。【００５６】
このようなメスコネクタ部７Ａおよび７Ｂが設けられていることにより、異なる２方向から液体をオスコネクタ部６へ送ることができたり、オスコネクタ部６からの液体を異なる２方向へ分岐させたりすることができる。【００５７】
図７および図８に示すように、メスコネクタ部７Ａ内およびメスコネクタ部７Ｂ内には、それぞれ、弁体５１が収納（固定）されている。【００５８】
各弁体５１は、弾性材料で構成されている。この弾性材料としては、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマーが挙げられ、これらのうちの１種または２種以上を混合して用いることができる。このような弾性材料を用いることにより、弁体５１の頂面５１１に適度な弾性を得ることができ、よって、頂面５１１がオスコネクタ部６の開口部（端部）６２３に密着ことができる（図８参照）。【００５９】
図６に示すように、弁体５１は、頭部５０と、頭部５０の先端側に設けられた（形成された）胴部５５とを有している。【００６０】
頭部５０は、その形状が有底筒状をなしており、液体が通過可能な内腔部５１５と、平面状の頂面５１１（底部５１３）から内腔部５１５に到達するスリット５１２とが形成されている。このスリット５１２は、その形状がほぼ一文字状をなしている。スリット５１２の形状がこのように簡単であることにより、より容易に（確実に）スリット５１２が開口する（開く）ことができる。また、頂面５１１が平面状をなしていることにより、頂面５１１（スリット５１２）を容易に消毒することができる。【００６１】
図１に示すように、頂面５１１は、メスコネクタ部７Ｂの開口部７１から露出している。また、この頂面５１１は、メスコネクタ部７Ａの端面とほぼ同一平面上に位置している。【００６２】
頭部５０は、その頂面５１１付近の外径が胴部５５に向って（軸方向に向って）漸増するテーパ状をなすテーパ部５６と、その先端に設けられた外径一定部５７とを有している。【００６３】
また、テーパ部５６には、テーパ部５６の一部を除去した切欠き部５６１が形成されている。すなわち、頭部５０には、テーパ部５６と外径一定部５７とをまたぐように除去した切欠き部５６１が形成されている。【００６４】
これにより、コネクタ５Ａに接続（挿入）されているコネクタ５Ａ’のオスコネクタ部６を抜去したとき、すなわち、接続状態（ロック状態）を解除したとき、弁体５１（頭部５０）が蓋部７３の第１の内腔部７３１により容易に入り込むことができ、よって、より確実にスリット５１２が閉じることができる。【００６５】
また、頭部５０は、スリット５１２が閉じる際に押される、突出した２つの当接部５２を備えている。これら２つの当接部５２は、それぞれ、頭部５０の頂面５１１付近に形成され、スリット５１２が閉じる方向（図６中、矢印方向）と反対方向に突出している。【００６６】
このような当接部５２により、頭部５０が蓋部７３の第１の内腔部７３１に挿入されているとき、第１の内腔部７３１の内周面７３４が当接部５２を押圧するため、スリット５１２をより確実に閉じることができる（図７参照）。また、これにより、コネクタ５Ａ内の液体の圧力（内圧）に対する耐圧性を向上させることができる。【００６７】
以上のように構成された頭部５０は、コネクタ５Ａ’のオスコネクタ部６が接続されていないとき、スリット５１２が閉じた状態で蓋部７３の第１の内腔部７３１に挿入されている（図７参照）。【００６８】
図６に示すように、胴部５５は、蛇腹状をなした筒状体で構成されている。すなわち、胴部５５は、外形において大径リング部５５２と小径リング部５５３とが軸方向に交互に配列された蛇腹状をなしている。このような胴部５５は、弁体５１をその先端側から基端側に向って（頭部５０が蓋部７３の第１の内腔部７３１に挿入される方向に）付勢する変形部（付勢手段）として機能している。【００６９】
このように胴部５５が変形部として機能していることにより、別途に付勢手段を構成するための部品をコネクタ５Ａに設ける必要がなく、部品点数の減少、構造の簡素化に寄与することができる。【００７０】
また、この胴部５５は、弁体５１がその先端側から基端側に向って復元する復元力の大半を担っているが、頭部５０がその復元力の一部を担っいてもよい。【００７１】
図１および図２に示すように、コネクタ５Ａには、ロック機構１０Ａ〜１０Ｃが分散配置されている。すなわち、コネクタ５Ａでは、メスコネクタ部７Ｂのｚ軸負側近傍に（ｚ軸負側に隣接して）ロック機構１０Ａが配置され、オスコネクタ部６のｚ軸負側近傍にロック機構１０Ｂが配置され、メスコネクタ部７Ａのｚ軸負側近傍にロック機構１０Ｃが配置されている。ロック機構１０Ａ〜１０Ｃのそれぞれの構成は、ほぼ同一であるため、以下、ロック機構１０Ａについて代表的に説明する。【００７２】
ロック機構１０Ａは、オスロック部８Ａとメスロック部９Ａとで構成さている。オスロック部８Ａおよびメスロック部９Ａは、それぞれ、コネクタ５Ａ（メスコネクタ部７Ｂ）とコネクタ５Ａ’（オスコネクタ６）とが接続された接続状態で、この接続状態を維持するものである。【００７３】
図３〜図５に示すように、オスロック部８Ａは、その全体が、コネクタ５Ａ、５Ａ’同士の接続方向（ｘ軸方向）と平行となるように突出して形成されたものである。このオスロック部８Ａは、基部（オスロック部本体）８１と、基部８１から突出する突出部８２と、突出部８２に設けられた一対の爪部８３Ａ、８３Ａと、各爪部８３Ａを付勢する付勢部８４とを有している。【００７４】
基部８１は、その形状が長尺状（直方体）をなしている。この基部８１のｘ軸負方向には、その方向に突出した突出部８２が形成されている。【００７５】
突出部８２のｚ軸方向（図１中上下方向）には、それぞれ、長尺な爪部８３Ａおよび８３Ａが設けられている。両爪部８３Ａ、８３Ａは、それぞれの端部８３１が互いにｚ軸方向に接近・離間する。【００７６】
各爪部８３Ａの端部８３１には、当該端部８３１の一部を切欠いた（欠損させた）ような第１のオス側係合部８３２が設けられている。【００７７】
また、各爪部８３Ａの両側面には、それぞれ、凹状の第２のオス側係合部８３３が設けられている（図５参照）。【００７８】
突出部８２と爪部８３Ａとの間のｘ軸負側には、付勢部８４が設けられている。この付勢部８４は、両爪部８３Ａ、８３Ａのそれぞれの端部８３１（第１のオス側係合部８３２）が互いに離間するように各爪部８３Ａを付勢する。【００７９】
メスロック部９Ａは、オスロック部８Ａのｙ軸負側に隣接して設けられている。また、メスロック部９Ａは、オスロック部８Ａとほぼ同様に、その全体が、コネクタ５Ａ、５Ａ’同士の接続方向（ｘ軸方向）と平行となるように形成されたものである。【００８０】
メスロック部９Ａは、全体形状としてほぼ管状をなしている。
図３〜図５に示すように、メスロック部９Ａには、コネクタ５Ａ’のオスロック部８Ａの各第１のオス側係合部８３２と係合可能な第１のメス側係合部（係合部）９１と、コネクタ５Ａ’のオスロック部８Ａの各第２のオス側係合部８３３と係合可能な第２のメス側係合部９２と、コネクタ５Ａ’のオスロック部８Ａの各爪部８３Ａを操作可能な操作部９３とが設けられている。【００８１】
図３（図４も同様）に示すように、第１のメス側係合部９１は、メスロック部９Ａの開口部９４側の内周部（内径）がｘ軸正方向（図４中、左方向）に向って漸減するように形成されている。図３（ｃ）に示すように、第１のメス側係合部９１の端部９１１が、コネクタ５Ａ’のオスロック部８Ａの第１のオス側係合部８３２に係合することにより、コネクタ５Ａ（メスロック部９Ａ）とコネクタ５Ａ’（オスロック部８Ａ）とがロック状態となる。ここで、「ロック状態」とは、コネクタ５Ａ（メスロック部９Ａ）とコネクタ５Ａ’（オスロック部８Ａ）とが完全に接続された状態、すなわち、後述するコネクタ５Ａのメスロック部９Ａの操作部９３を操作しない限り、コネクタ５Ａとコネクタ５Ａ’との接続が解除されない状態のことである。【００８２】
図５に示すように、第２のメス側係合部９２は、メスロック部９Ａの内周部の途中に突出して設けられている。図５（ｂ）に示すように、第２のメス側係合部９２がコネクタ５Ａ’のオスロック部８Ａの第２のオス側係合部８３３に係合することにより、コネクタ５Ａとコネクタ５Ａ’とがハーフロック状態となる。ここで、「ハーフロック（仮止め）状態」とは、コネクタ５Ａとコネクタ５Ａ’とが完全に接続されていない状態、すなわち、コネクタ５Ａとコネクタ５Ａ’とを容易に離間させることができる状態のことである。【００８３】
図４に示すように、操作部９３は、第１のメス側係合部９１に対して、ｘ軸正方向に設けられた小片で構成されている。この操作部９３は、ロック状態のコネクタ５Ａ’（オスロック部８Ａ）の両爪部８３Ａの端部８３１を互いに接近させるように、各爪部８３Ａ操作（押圧）する。【００８４】
このような構成のオスロック部８Ａおよびメスロック部９Ａは、それぞれ、コネクタ５Ａ’のメスロック部９Ａおよびオスロック部８Ａに連結可能な部位となっている。【００８５】
また、コネクタ５Ａでは、ロック機構１０Ａ〜１０Ｃが同一の構成となっている。このため、これらのロック機構１０Ａ〜１０Ｃを設計する際、１つのロック機構の構成が決定すれば、他のロック機構の構成も決定する。これにより、コネクタ５Ａの設計が容易となる。コネクタ５Ａの構成が比較的簡単となり、よって、当該コネクタ５Ａの製造が容易となる。【００８６】
また、同一のロック機構を使用することができることにより、同じもの（コネクタ５Ａ）を製造すればよいため、そのものを安価に製造することができる。【００８７】
次に、コネクタ５Ａとコネクタ５Ａ’との接続過程（ハーフロック状態、ロック状態およびロック解除状態）について説明する。この接続過程では、コネクタ５Ａのロック機構１０Ａのメスロック部９Ａと、コネクタ５Ａ’のロック機構１０Ｂのオスロック部８Ａとが接続され、これとともに、コネクタ５Ａのロック機構１０Ａのオスロック部８Ａと、コネクタ５Ａ’のロック機構１０Ｂのメスロック部９Ａとが接続される。コネクタ５Ａのロック機構１０Ａのメスロック部９Ａと、コネクタ５Ａ’のロック機構１０Ｂのオスロック部８Ａとの接続過程と、コネクタ５Ａのロック機構１０Ａのオスロック部８Ａと、コネクタ５Ａ’のロック機構１０Ｂのメスロック部９Ａとの接続過程とは、同一であるため、以下、前者の接続過程について代表的に説明する。【００８８】
図１（図３（ａ）、図５（ａ）も同様）に示すように、コネクタ５Ａとコネクタ５Ａ’とが互いに離間した状態から、コネクタ５Ａ’のオスロック部８Ａをコネクタ５Ａのメスロック部９Ａに接近させる。【００８９】
図３（ａ）に示すように、コネクタ５Ａ’のオスロック部８Ａがコネクタ５Ａのメスロック部９Ａ内に挿入されるのに伴って、コネクタ５Ａの第１のメス側係合部９１がコネクタ５Ａ’の付勢部８４の付勢力に抗して、コネクタ５Ａ’の爪部８３Ａを押圧する。【００９０】
図３（ｂ）に示すように、コネクタ５Ａ’のオスロック部８Ａをコネクタ５Ａのメスロック部９Ａ内にさらに押し込むと、図５（ｂ）に示すように、コネクタ５Ａ’の第２のオス側係合部８３３がコネクタ５Ａの第２のメス側係合部９２に係合する、すなわち、コネクタ５Ａ’とコネクタ５Ａとがハーフロック状態となる。このとき、コネクタ５Ａ’のオスロック部８Ａ（開口部６２３）とコネクタ５Ａのメスロック部９Ａ（頂面５１１）とが互いに当接（近接）することとなる。これにより、ハーフロック状態からロック状態へ変化させるときに、コネクタ５Ａ’のオスコネクタ部６の端面が確実にコネクタ５Ａの弁体５１の頂面５１１を迅速に押圧することができる。【００９１】
コネクタ５Ａ’のオスロック部８Ａをコネクタ５Ａのメスロック部９Ａ内にさらに押し込むと、コネクタ５Ａ’の第２のオス側係合部８３３とコネクタ５Ａの第２のメス側係合部９２との係合が外れる、すなわち、ハーフロック状態が解除される。【００９２】
この状態から、コネクタ５Ａ’のオスロック部８Ａとコネクタ５Ａのメスロック部９Ａとをさらに接近させると、コネクタ５Ａ’の第１のオス側係合部８３２がコネクタ５Ａの第１のメス側係合部９１に係合する、すなわち、コネクタ５Ａ’とコネクタ５Ａとがロック状態となる（図３（ｃ）参照）。これにより、ハーフロック状態から容易にロック状態とすることができる。【００９３】
図８に示すように、ロック状態（接続状態）のとき、コネクタ５Ａ’のオスコネクタ部６の開口部６２３がコネクタ５Ａの頭部５０の頂面５１１を軸方向に押圧している。これにより、胴部５５が軸方向に変形し（圧縮され）、頭部５０が第１の内腔部７３１から移動して、第２の内腔部７２３に入り込む。頭部５０は、それまで第１の内腔部７３１内で第１の内腔部７３１の内周面７３４に規制されていたが、第２の内腔部７２３に移動したことにより、頭部５０の外周面の規制が解除または緩和され、その結果、軸方向の圧縮により、図８中の矢印方向に充分に拡径することができる、すなわち、充分に変形することができる。従って、スリット５１２が確実かつ充分に開く（開口する）ことができる。また、これにより、弁体５１（スリット５１２）を介して、コネクタ５Ａ’のオスコネクタ部６の液体流路６２１と、コネクタ５Ａのメスコネクタ部７Ｂの内部突起７２５の内腔部（中空部）とが連通する、すなわち、流通可能に接続され、よって、例えば、輸液、輸血、栄養投与等の際、液体が円滑に通過することができる。【００９４】
また、ロック状態のとき、弁体５１の胴部５５の付勢力に抗して、コネクタ５Ａ’のオスコネクタ部６の開口部６２３が弁体５１の頭部５０を押圧するため、当該オスコネクタ部６の開口部６２３と頭部５０（弁体５１）の頂面５１１とが密着する。これにより、オスコネクタ部６とメスコネクタ部７Ｂとの接続の液密性を保持することができる、すなわち、これらを確実に液密に接続することができる。【００９５】
また、コネクタ５Ａ’とコネクタ５Ａとのロック状態の解除は、コネクタ５Ａの操作部９３を操作することにより行われる。【００９６】
換言すれば、図４（ａ）に示すロック状態から、図４（ｂ）に示すように、コネクタ５Ａの操作部９３でコネクタ５Ａ’の爪部８３Ａを押圧する。これにより、コネクタ５Ａの第１のメス側係合部９１と、コネクタ５Ａ’の第１のオス側係合部８３２との係合が外れる（解除される）。【００９７】
その後、図４（ｃ）に示すように、コネクタ５Ａ’を引くと、コネクタ５Ａ’とコネクタ５Ａとが互いに離間する。【００９８】
なお、前記の係合が外れるとき、コネクタ５Ａのメスコネクタ部７Ｂと、コネクタ５Ａ’のオスコネクタ部６との嵌合力は、比較的小さいのが好ましい。これにより、コネクタ５Ａの第１のメス側係合部９１の内周面へのコネクタ５Ａ’の付勢部８４および弁体５１の付勢力（弾性力）による爪部８３Ａの押圧力が前記嵌合力より勝ることとなり、よって、コネクタ５Ａ’がコネクタ５Ａから弾かれるように離脱する。すなわち、コネクタ５Ａ’をコネクタ５Ａから容易に離脱させることができる。【００９９】
このような接続過程は、コネクタ５Ａのロック機構１０Ａのオスロック部８Ａと、コネクタ５Ａ’のロック機構１０Ｂのメスロック部９Ａとについても同様に行なわれる。【０１００】
以上のように、コネクタ５Ａとコネクタ５Ａ’とでは、コネクタ５Ａ’のロック機構１０Ａと、コネクタ５Ａのロック機構１０Ｂとを互いに押し込みあうという簡単な操作で、コネクタ５Ａとコネクタ５Ａ’と完全に接続することができる、すなわち、ロック状態とすることができる。【０１０１】
このロック状態では、コネクタ５Ａのメスロック部９Ａおよびオスロック部６と、コネクタ５Ａ’のオスロック部およびメスロック部９Ａがそれぞれ、接続されている。すなわち、ロック状態は、全体として、コネクタ５Ａ、５Ａ’同士の異なる２箇所で接続されている。これにより、コネクタ５Ａ、５Ａ’同士の接続状態が強固になり、よって、該接続状態が不本意に解除されるのを確実に防止することができる。【０１０２】
また、このロック状態を解除するには、コネクタ５Ａの操作部９３と、コネクタ５Ａ’の操作部９３とを、それぞれ、押圧（操作）しなければならない。これにより、例えば接続状態のコネクタ５Ａ、５Ａを把持した場合、誤って一方の操作部９３を押圧して、該一方側のオスロック部６とメスロック部９Ａとがロック解除されたとしても、他方の操作部９３は操作されておらず、該他方側のオスロック部６とメスロック部９Ａとロック状態が維持されている。よって、接続状態が不本意に解除されるのを確実に防止することができる。【０１０３】
また、ロック状態となるのとほぼ同時に、コネクタ５Ａのメスコネクタ部７Ｂとコネクタ５Ａ’のオスコネクタ部６とが液密に接続される。【０１０４】
また、ハーフロック状態では、弁体５１の変形が抑制（防止）されている。例えば、コネクタ５Ａとコネクタ５Ａ’とがハーフロック状態の輸液チューブセット１を出荷した場合、この輸液チューブセット１が使用されるまでの弁体５１が長時間変形するのが防止される。これにより、弁体５１が塑性変形して、スリット５１２が常時開口した状態となるのを防止することができる。【０１０５】
また、コネクタ５Ａでは、オスロック部８Ａとメスロック部９Ａとは、図１（図２も同様）の構成では、メスコネクタ部７Ｂの中心軸に関して、対称的に配置されている。これにより、コネクタ５Ａ’のオスコネクタ部６とコネクタ５Ａのメスコネクタ部７Ｂとがまっすぐに接続し易くなり、コネクタ５Ａの弁体５１の頂面５１１とコネクタ５Ａ’のオスコネクタ部６の開口部６２３とが密着して接続の液密性を保持し易くなると言う利点がある。【０１０６】
また、図１の構成では、オスロック部８Ａとメスロック部９Ａとは、メスコネクタ部７Ｂに対してｚ軸負側に偏在しているが、これに限定されず、メスコネクタ部７Ｂを介して、図１中上下方向に対向配置されて（分散配置）いてもよい。【０１０７】
また、コネクタ５Ａ（弁体５１を除く）の構成材料としては、特に限定されないが、例えば、ポリ塩化ビニル、ポリエチレン、ポリプロピレン、環状ポリオレフィン、ポリスチレン、ポリ−（４−メチルペンテン−１）、ポリカーボネート、アクリル樹脂、アクリルニトリル−ブタジエン−スチレン共重合体、ポリエチレンテレフタレート、ポリエチレンナフタレート等のポリエステル、ブタジエン−スチレン共重合体、ポリアミド（例えば、ナイロン６、ナイロン６・６、ナイロン６・１０、ナイロン１２）のような各種樹脂が挙げられる。【０１０８】
図９に示すように、輸液投与部２は、患者の血管１１０に留置される留置針またはカテーテル（本実施形態では、留置針２１）と、この留置針またはカテーテル（本実施形態では、留置針２１）の基端部に接続された輸液投与部側コネクタ２６とを有している。【０１０９】
留置針２１（またはカテーテル）の構成材料としては、留置する部位によっては、翼付静注針など金属の針のものでもよいが、好ましくは可撓性を有する高分子材料、例えば、ポリエチレン、ポリプロピレン等のポリオレフィン、ポリエステル、ポリウレタン等の熱可塑性樹脂等が挙げられる。【０１１０】
輸液投与部側コネクタ２６は、第２の輸液チューブ４ａが接続されているコネクタ５Ａのオスコネクタ部６と接続し得るメスコネクタ部７Ａと、コネクタ５Ａのロック機構１０Ｂと接続し得るロック機構１０Ａと、オスコネクタ部２６３とを有している。【０１１１】
また、オスコネクタ部２６３の軸と、メスコネクタ部７Ｂの軸とは、略一致し、メスコネクタ部７Ａの軸は、これらの軸と略直交している。すなわち、オスコネクタ部２６３と、メスコネクタ部７Ｂとは、互いに反対方向を向いており、メスコネクタ部７Ａは、これらオスコネクタ部２６３およびメスコネクタ部７Ｂに対し、略垂直な方向を向いている。【０１１２】
輸液投与部側コネクタ２６は、オスコネクタ部２６３に、ワンタッチで止められるストップクランプ２５を通したチューブ２４が液密に接続されている。チューブ２４の先端側は、オスコネクタ部２３が接続されている。オスコネクタ部２３は、ルアーコネクタ、ルアーロックコネクタなど、留置針やカテーテルの出口ポート２１１と液密に接続され得るものであれば、特に限定されないが、特に、ルアーロックコネクタが好ましい。【０１１３】
留置針２１は、その基端部に、出口ポート２１１を有しており、この出口ポート２１１に、前記輸液投与部側コネクタ２６に取り付けられたオスコネクタ部２３が液密に接続されている。【０１１４】
次に、第１の輸液チューブ４ｂおよび第２の輸液チューブ４ａを説明するが、これら第１の輸液チューブ４ｂと第２の輸液チューブ４ａとの構成は同様であるので、代表的に、第２の輸液チューブ４ａを説明する。【０１１５】
第２の輸液チューブ４ａは、可撓性（柔軟性）を有し、輸液の流路を構成するチューブ４１と、チューブ４１の一方の端部（先端部）に設けられたコネクタ（チューブ側コネクタ）４３と、チューブ４１の他方（本実施形態では、他方の端部（基端部））に設けられ、輸液が収納された輸液バッグ（輸液容器）（収納部）３１側に接続される接続部として、鋭利な針先を有する瓶針４５１とを備えている。【０１１６】
チューブ４１の構成材料としては、例えば、軟質ポリ塩化ビニル、エチレン−酢酸ビニル共重合体、ポリエチレン、ポリプロピレン、ポリブタジエン等、あるいはこれらを主とする材料が挙げられる。【０１１７】
また、チューブ４１の途中には、輸液の流量を調節する流量調節手段として、スライド式のクレンメ（スライドクレンメ）４６と、点滴筒４４とが、それぞれ、設けられている。このスライドクレンメ４６としては、特に限定されず、従来公知のものを用いることができるが、例えば、特開２００４−４９３１９号公報のようなものが挙げられる。【０１１８】
また、スライドクレンメ４６は、ローラー型のクレンメなど、流量を調節できるものであれば、他のものでも構わない。【０１１９】
輸液バッグ３１内には、所定の輸液が収納されており、瓶針４５１がこの輸液バッグ３１の栓（ゴム栓）を穿通（穿刺）すると、瓶針４５１を介し、輸液バッグ３１と第２の輸液チューブ４ａとが接続され、輸液バッグ３１から第２の輸液チューブ４ａ側へ輸液が供給され得る状態となる。【０１２０】
点滴筒４４は、瓶針４５１の近傍に設置されている。この点滴筒４４により、輸液の流量を目視で確認することができる。【０１２１】
また、逆流防止弁４９が、コネクタ４３と点滴筒４４の間に設置されている。逆流防止弁４９は、輸液バッグ３１からコネクタ５Ａの方向への一方向弁である。逆流防止弁４９は、コネクタ４３と点滴筒４４の間であれば、どこに設置されても良いが、好ましくは、コネクタ４３により近い所、更に好ましくは、コネクタ４３の内部に設置される方が良い。【０１２２】
逆流防止弁４９は、その内部に、図示しない一対の板状の開閉部材が形成された弁本体を有し、各開閉部材は、弾性力（復元力）により互いに密着し、これにより、逆流防止弁４９内の流路は、閉塞している。輸液流が先端側から基端側に向いている場合には、その輸液により圧力が各開閉部材の外面にかかり、開閉部材同士を密着させるように作用する。このため、輸液は、先端側から基端側には流れない。【０１２３】
一方、輸液流が基端側から先端側に向いている場合には、その輸液により所定の圧力が各開閉部材の基端側（テーパ面）にかかり、その圧力により各開閉部材が離間する方向に変位し、逆流防止弁４９内の流路が開通する。これにより、輸液は、基端側から先端側に流れる。【０１２４】
逆流防止弁４９は、輸液ポンプなどによって注入が確実な場合には無くとも良い場合もあるが、設置されていることがより好ましい。この第２の輸液チューブ４ａによれば、第２の輸液チューブ４ａのコネクタ５Ａに接続された第１の輸液チューブ４ｂからある程度の圧力を加えて輸液を投与しても、逆流防止弁４９により、その輸液が第２の輸液チューブ４ａの上流側（基端側）へ流れ込むのを防止することができ、確実に、輸液を患者へ投与することができる。【０１２５】
チューブ４１の先端部には、コネクタ４３が設けられている。このコネクタ４３は、コネクタ５Ａのオスコネクタ部６と接続し得るメスコネクタ部（図示せず）と、コネクタ５Ａのロック機構１０Ｃと接続し得るロック機構（図示せず）を有している。これにより、コネクタ４３は、コネクタ５Ａと接続することができる。また、これらのコネクタ同士の接続では、前述したハーフロック状態と、ロック状態とをとり得る。【０１２６】
例えば、コネクタ４３のオスコネクタ部６は、第２の輸液チューブ４ａを使用するまでは、コネクタ５Ａのメスコネクタ部７Ｂに設置されている弁体５１を開通させない程度の位置で、緩く嵌合されている。すなわち、コネクタ４３は、第２の輸液チューブ４ａを使用するまでは、コネクタ５Ａとハーフロック状態で接続されている。これにより、弁体５１が輸液を流す直前まで、変形することなく保持され、弁体５の機能を全く損なわずに使用することができる。【０１２７】
また、ロック状態（接続状態）では、コネクタ４３のオスコネクタ部６とコネクタ５Ａのメスコネクタ部７Ｂとは液密に接続されているため、第２の輸液チューブ４ａからコネクタ５Ａへ液体を確実に流通させることができる。【０１２８】
次に、輸液チューブセット１の作用（使用方法）を説明する。
ここでは、第２の輸液チューブ４ａを、患者に輸液を投与するための第１輸液ライン（第１輸液ルート）、すなわち、主に、基本液等が流される輸液チューブとし、第１の輸液チューブ４ｂを、患者に輸液を投与するための第２輸液ライン（第２輸液ルート）、すなわち、主に、副ルートとして用い、例えば、脂肪乳剤、治療薬、抗生剤等が流される輸液チューブとする場合を例に挙げて説明する。【０１２９】
第２の輸液チューブ４ａを接続するにあたり、まず、輸液バッグ３１に、例えば維持輸液剤を調剤する。【０１３０】
次に、コネクタ４３をコネクタ５Ａに押し込み、これらを接続する。
次に、図９に示すように、この輸液の収納された輸液バッグ３１の栓（ゴム栓）に第２の輸液チューブ４ａの瓶針４５１を穿通（穿刺）する。これにより、瓶針４５１を介し、輸液バッグ３１と第２の輸液チューブ４ａとが接続され、輸液バッグ３１から第２の輸液チューブ４ａ側へ輸液が供給され得る状態となる。【０１３１】
次に、第２の輸液チューブ４ａの流路をプライミングする。
次に、患者の血管１１０（例えば、末梢静脈等）に留置された留置針２１の出口ポート２１１に接続された輸液投与部側コネクタ２６のメスコネクタ部７Ａに、第２の輸液チューブ４ａのコネクタ５Ａのオスコネクタ部６を挿入し、嵌合させる。これにより、輸液投与部側コネクタ２６のメスコネクタ部７Ａと第２の輸液チューブ４ａのコネクタ５Ａのオスコネクタ部６とが液密に接続される。このとき、輸液投与部側コネクタ２６のロック機構１０Ａとコネクタ５Ａのロック機構１０Ｂとがロック状態となり、接続が容易に解除されるのが防止されている。【０１３２】
次に、第２の輸液チューブ４ａのスライドクレンメ４６を操作し、第２の輸液チューブ４ａの輸液の流量（投与速度）を維持輸液剤の指示流量（指示投与速度）に調節し、その輸液を投与する。【０１３３】
なお、輸液投与部側コネクタ２６を省略し、第２の輸液チューブ４ａのコネクタ５Ａのオスコネクタ部６を、留置針２１の出口ポート２１１に接続してもよい。【０１３４】
次に、患者の容態によって、一定時間の間隔をおいて、例えば抗生剤を投与するために用いる第１の輸液チューブ４ｂを接続するにあたり、まず、輸液バッグ３２に抗生剤を溶解した生理食塩水を調剤する。【０１３５】
次に、第１の輸液チューブ４ｂのコネクタ４３をコネクタ５Ａ’に押し込み、これらを接続する。【０１３６】
次に、この輸液の収納された輸液バッグ３２の栓（ゴム栓）に第１の輸液チューブ４ｂの瓶針４５１を穿通（穿刺）する。これにより、瓶針４５１を介し、輸液バッグ３２と第１の輸液チューブ４ｂとが接続され、輸液バッグ３２から第１の輸液チューブ４ｂ側へ輸液が供給され得る状態となる。【０１３７】
次に、第１の輸液チューブ４ｂの流路をプライミングする。
次に、図１０に示すように、第２の輸液チューブ４ａのコネクタ５Ａに、第１の輸液チューブ４ｂのコネクタ５Ａ’を挿入し、接続させる。これにより、第２の輸液チューブ４ａのコネクタ５Ａのメスコネクタ部７Ｂと第１の輸液チューブ４ｂのコネクタ５Ａのオスコネクタ部６とが液密に接続される。このとき、第２の輸液チューブ４ａロック機構１０Ａと第１の輸液チューブ４ｂのロック機構１０Ｂがロック状態となり、接続が容易に解除されるのが防止されている。【０１３８】
次に、第１の輸液チューブ４ｂのスライドクレンメ４６を操作し、第１の輸液チューブ４ｂの輸液の流量（投与速度）を抗生剤の指示流量（指示投与速度）に調節し、その輸液を投与する。【０１３９】
このようにして、第２の輸液チューブ４ａから維持輸液剤を、第１の輸液チューブ４ｂから抗生剤を溶解した生理食塩水を、それぞれ、患者に投与することができる（混注することができる）。【０１４０】
また、輸液ライン（輸液ルート）を増設する場合には、前記と同様にして、第１の輸液チューブ４ｂのコネクタ５Ａに図示しない他の輸液チューブのコネクタ５Ａを接続する。【０１４１】
以下、同様にして、輸液ラインをいくつでも増設することができる。
なお、前記輸液チューブセット１の使用方法は、一例であり、これに限定されるものではない。例えば、輸液を第２の輸液チューブ４ａから患者に投与している場合において、第１の輸液チューブ４ｂにより、その補充を行ってもよい。【０１４２】
また、本発明では、輸液チューブセットにおける輸液チューブの数は、１つでもよく、また、３つ以上でもよい。【０１４３】
また、本発明では、輸液チューブセットが複数の輸液チューブを有する場合、その輸液チューブは、すべて同一でもよく、また、すべて異なっていてもよく、また、一部のみ同一でもよい。【０１４４】
＜第２実施形態＞
図１１は、本発明のコネクタの第２実施形態を示す斜視図である。【０１４５】
以下、この図を参照して本発明のコネクタおよび輸液チューブセットの第２実施形態について説明するが、前述した実施形態との相違点を中心に説明し、同様の事項はその説明を省略する。
本実施形態は、ロック機構の構成が異なること以外は前記第１実施形態と同様である。【０１４６】
図１１に示すコネクタ５Ａ（コネクタ５Ａ’も同様）では、メスコネクタ部７Ｂの外周部にロック機構１０Ｄが配置され、オスコネクタ部６の外周部にロック機構１０Ｅが配置され、メスコネクタ部７Ａの外周部にロック機構１０Ｆが配置されている。ロック機構１０Ｄ〜１０Ｆのそれぞれの構成は、ほぼ同一であるため、以下、ロック機構１０Ｄについて代表的に説明する。【０１４７】
ロック機構１０Ｄは、メスコネクタ部７Ｂと同心的に設置され、全体形状がほぼ円筒状をなす筒状部で構成されている。この筒状部の壁部１０１には、４つの欠損部１０２が形成されている。各欠損部１０２は、壁部１０１を筒状部（メスコネクタ部７Ｂ）の中心軸方向に沿って長尺状に欠損した部分である。【０１４８】
各欠損部１０２は、それぞれメスロック部を構成する（メスロック部として機能する）。また、隣接する欠損部１０２同士の間に位置する壁部１０１の一部、すなわち、壁部１０１の欠損部１０２を除いた４つの突出した部分（以下、この各部分を「突出部１０３」と言う）がオスロック部を構成する（オスロック部として機能する）。【０１４９】
このように、ロック機構１０Ｄでは、メスコネクタ部７Ｂの外周方向に沿って、４つのオスロック部（突出部１０３）と、４つのメスロック部（欠損部１０２）が、交互に配置さることとなる。【０１５０】
以上のような構成のコネクタ５Ａでは、コネクタ５Ａ’と接続する際、コネクタ５Ａ（ロック機構１０Ｄ）の各突出部１０３が、それぞれに対応したコネクタ５Ａ’（ロック機構１０Ｅ）の各欠損部１０２に嵌入する。また、これとともに、コネクタ５Ａの各欠損部１０２に、それぞれに対応したコネクタ５Ａ’（ロック機構１０Ｅ）の各突出部１０３が嵌入する。【０１５１】
従って、ロック状態では、全体として、コネクタ５Ａ、５Ａ’同士の異なる４箇所で接続されている。これにより、コネクタ５Ａ、５Ａ’同士の接続状態がより強固になり、よって、該接続状態が不本意に解除されるのをより確実に防止することができる。【０１５２】
また、コネクタ５Ａおよび５Ａ’は、それぞれ、ロック状態を維持するのを補助する補助手段を有していてもよい。この補助手段としては、特に限定されないが、例えば、図示の構成の、ロック状態で互いに係合可能な係合片１１で構成されたものが挙げられる。各係合片１１は、ロック機構１０Ｄの内側に、ｘ軸負方向に向かって突出している。【０１５３】
コネクタ５Ａの係合片１１は、ロック状態で係合したコネクタ５Ａ’の係合片１１との係合を解除するには、それらの係合片１１を内側に押圧することにより、前記係合を解除することができるよう構成されている。【０１５４】
また、前述したように、ロック機構１０Ｄは、全体形状がほぼ円筒状をなしている。これにより、ロック機構１０Ｄは、メスコネクタ部７Ｂの中心軸回りに（図１１中矢印Ａ方向に）回転させて、当該中心軸回りの複数の回転角度で、使用する、すなわち、コネクタ５Ａ’のロック機構１０Ｅに接続することができる。【０１５５】
例えば図９中のチューブ２４に捩れが生じた場合、コネクタ５Ａを捩れの方向と反対方向に回転させて用いることにより、当該チューブ２４の捩れを解消することができる。【０１５６】
また、コネクタ５Ａを回転させて用いても、ロック機構１０Ａの固定力（接続力）等のような接続条件は、変化しない。すなわち、接続状態が不本意に解除されるのを確実に防止することができる。【０１５７】
以上、本発明のコネクタおよび輸液チューブセットを図示の実施形態について説明したが、本発明は、これに限定されるものではなく、コネクタおよび輸液チューブセットを構成する各部は、同様の機能を発揮し得る任意の構成のものと置換することができる。また、任意の構成物が付加されていてもよい。【０１５８】
また、本発明のコネクタおよび輸液チューブセットは、前記各実施形態のうちの、任意の２以上の構成（特徴）を組み合わせたものであってもよい。【０１５９】
例えば、前記第２実施形態のロック機構は、前記第１実施形態のロック機構のように、ハーフロック状態が可能となるよう構成されていてもよい。
【産業上の利用可能性】
【０１６０】
本発明のコネクタは、オス側内腔部を有するオスコネクタ部と、メス側内腔部を有し、該メス側内腔部に前記オスコネクタ部と同様の他のオスコネクタ部が接続可能なメスコネクタ部と、弾性材料で構成され、前記他のオスコネクタ部と前記メスコネクタ部とが接続された際、これらのコネクタ部同士の液密性を保持するシール部材と、前記オスコネクタ部側および前記メスコネクタ部側にそれぞれ配置され、前記他のオスコネクタ部と前記メスコネクタ部とが接続された際、これらのコネクタ部同士の接続状態を維持するロック機構とを備え、前記各ロック機構は、前記コネクタ部同士の接続方向と平行となるように突出して形成されたオスロック部と、該オスロック部に隣接し、前記接続方向と平行となるように形成され、前記オスロック部と同様の他のオスロック部が連結可能なメスロック部とを有する。そのため、コネクタ部同士が接続された接続状態では、一方のコネクタ部側のメスロック部およびオスロック部と、他方のコネクタ部側のメスロック部およびオスロック部とがそれぞれ、接続されている。すなわち、接続状態は、コネクタ全体として、異なる２箇所で接続されている。これにより、前記接続状態が強固になり、よって、該接続状態が不本意に解除されるのを確実に防止することができる。また、前記２箇所の接続箇所のうち、たとえ一方の接続が解除されたとしても、他方の接続が維持されることとなる。これにより、接続状態が不本意に解除されるのを確実に防止することができる。従って、本発明のコネクタは、産業上の利用可能性を有する。
【図１】
2008056631.tif 000003
【図２】
2008056631.tif 000004
【図３】
2008056631.tif 000005
【図４】
2008056631.tif 000006
【図５】
2008056631.tif 000007
【図６】
2008056631.tif 000008
【図７】
2008056631.tif 000009
【図８】
2008056631.tif 000010
【図９】
2008056631.tif 000011
【図１０】
2008056631.tif 000012
【図１１】
2008056631.tif 000013
【国際調査報告】
2008056631.tif 000014
2008056631.tif 000015
2008056631.tif 000016
2008056631.tif 000017